(57)【要約】【課題】繰り返し見ていても飽きがこないイルミネーションの点滅を可能にしたイルミネーションの点滅装置を提供すること。【解決手段】オーディオ信号を入力するための入力部（２）と、該入力部（２）に接続したスピーカー（９）と、それぞれにイルミネーション（７）が接続される１又は複数個の出力部（５）と、入力されたオーディオ信号の電圧レベルと予め設定した基準電圧とが一致した場合にのみ前記出力部（５）へ主電源を供給可能にした比較手段（４）と、該比較手段（４）の作動を制御するタイマー（６）と、を備え、入力されたオーディオ信号を音声信号としてスピーカー（８）より出力するとともに、入力されたオーディオ信号の電圧レベルと比較手段（４）における基準電圧が一致しかつ前記比較手段（４）が作動可能な場合にのみ前記出力部（５）から主電源を出力してイルミネーション（７）を発光可能にした。【選択図】図１
2007207587.tif 000002
【特許請求の範囲】
【請求項１】
ＬＥＤ等の発光手段（７０１）を用いたイルミネーションにおける前記発光手段（７０１）を点滅させるためのイルミネーションの点滅装置であって、
オーディオ信号を入力するための入力部（２）と、
それぞれに前記発光手段（７０１）が接続される１又は複数個の出力部（５）と、
前記入力されたオーディオ信号の電圧レベルと予め設定した基準電圧とが一致した場合にのみ前記出力部（５）へ主電源を供給可能にした比較手段（４）と、を備えたことを特徴とするイルミネーションの点滅装置。
【請求項２】
ＬＥＤ等の発光手段（７０１）を用いたイルミネーションにおける前記発光手段（７０１）を点滅させるためのイルミネーションの点滅装置であって、
オーディオ信号を入力するための入力部（２）と、
それぞれに前記発光手段（７０１）が接続される１又は複数個の出力部（５）と、
前記入力されたオーディオ信号の電圧レベルと予め設定した基準電圧とが一致した場合にのみ前記出力部（５）へ主電源を供給可能にした比較手段（４）と、
該比較手段（４）の作動を制御するタイマー（６）と、を備えたことを特徴とするイルミネーションの点滅装置。
【請求項３】
前記入力部（２）にスピーカー（９）を接続したことを特徴とする請求項１又は請求項２に記載イルミネーションの点滅装置。
【発明の詳細な説明】
【技術分野】
【０００１】
本発明はイルミネーションの点滅装置に係り、より詳しくは、入力されたオーディオ信号のリズムに合わせてイルミネーションを点滅可能としたイルミネーションの点滅装置に関する。
【背景技術】
【０００２】
近年、特にクリスマスシーズンになると、街角、各種店舗内外、あるいは個人宅において、ＬＥＤ等を用いたイルミネーションによって街中等を飾ることが行われている。
【０００３】
そして、このＬＥＤ等のイルミネーション発光方法としては、一般的に、複数個のＬＥＤを順次、あるいは順不同に点滅させ、これにより、注目効果を高めることが行われている。
【０００４】
また、店先、往来において、営業案内、集客のためにキャッチフレーズを発光表示する際に、発光手段を点滅させる方法も提供されている。
【特許文献１】特開２００５−２１５０９５号公報
【発明の開示】
【発明が解決しようとする課題】
【０００５】
しかしながら、従来から提供されているＬＥＤの点滅は、予め設定されている所定のリズムに合わせたものであり、点滅パターンが一定である。そのため、初めて見た場合は格別、繰り返し見ているうちに次第にあきてしまうという問題点がある。
【０００６】
そこで、本発明は、繰り返し見ていても飽きがこないイルミネーションの点滅を可能にしたイルミネーションの点滅装置を提供することを課題としている。
【課題を解決するための手段】
【０００７】
請求項１に記載の本発明のイルミネーションの点滅装置は、
ＬＥＤ等の発光手段を用いたイルミネーションにおける前記発光手段を点滅させるためのイルミネーションの点滅装置であって、
オーディオ信号を入力するための入力部と、
それぞれに前記発光手段が接続される１又は複数個の出力部と、
前記入力されたオーディオ信号の電圧レベルと予め設定した基準電圧とが一致した場合にのみ前記出力部へ主電源を供給可能にした比較手段と、を備えたことを特徴としている。
【０００８】
また、請求項２に記載の本発明のイルミネーションの点滅装置は、
ＬＥＤ等の発光手段を用いたイルミネーションにおける前記発光手段を点滅させるためのイルミネーションの点滅装置であって、
オーディオ信号を入力するための入力部と、
それぞれに前記発光手段が接続される１又は複数個の出力部と、
前記入力されたオーディオ信号の電圧レベルと予め設定した基準電圧とが一致した場合にのみ前記出力部へ主電源を供給可能にした比較手段と、
該比較手段の作動を制御するタイマーと、を備えたことを特徴としている。
【０００９】
更に、請求項３に記載の本発明のイルミネーションの点滅装置は、請求項１又は請求項２に記載のイルミネーションの点滅装置において、前記入力部にスピーカーを接続したことを特徴としている。
【発明の効果】
【００１０】
請求項１に記載の本発明では、オーディオ信号が入力される入力部と、それぞれに発光手段が接続される１又は複数個の出力部と、を具備するとともに、入力部に入力されたオーディオ信号の電圧レベルと予め設定した基準電圧とが一致した場合にのみ前記出力部へ主電源を供給可能にした比較手段を備えている。
【００１１】
即ち、周知の通り、オーディオ信号における電圧レベルは音階によって異なっているために、入力されたオーディオ信号の電圧と予め設定した基準電圧とが一致した場合にのみ出力部へ主電源を供給可能にした本発明によれば、入力されたオーディオ信号に応じてＬＥＤ等の発光手段を点滅させることができる。
【００１２】
そのため、請求項１に記載の本発明によれば、入力されたオーディオ信号に応じて発光手段の点滅パターンを変えることができるため、入力するオーディ信号を変えることにより、見る者を飽きさせないイルミネーションにすることが可能である。
【００１３】
また、請求項２に記載のイルミネーションの点滅装置では、前記請求項１に記載のイルミネーションの点滅装置において、比較手段にタイマーを接続してこのタイマーにより比較手段の作動を制御し、入力されたオーディオ信号の電圧レベルと比較手段における基準電圧とが一致し、かつ、比較手段が作動可能な場合にのみ前記出力部から主電源を出力可能にしているため、点滅のパターンのバリエーションを増やすことが可能である。
【００１４】
更に、請求項３に記載のイルミネーションの点滅装置では、入力部にスピーカーを接続しているため、発光手段の発光とともにその点滅パターンの基準となっているメロディーを流すことも可能となり、より見る者を飽きさせないイルミネーションにすることが可能である。
【発明を実施するための最良の形態】
【００１５】
本発明のイルミネーションの点滅装置では、オーディオ信号を入力するための入力部を有しており、この入力部には比較手段としてのコンパレーターが接続され、比較手段において、入力されたオーディオ信号の電圧と予め設定した基準電圧とを比較可能にしている。
【００１６】
また、本発明のイルミネーションの点滅装置では、それぞれに複数個のＬＥＤ等の発光手段が接続される複数個の出力部を備えており、この出力部と主電源との間に、前記比較手段が介在されている。
【００１７】
そして、コンパレーターは、入力されたオーディオ信号の電圧と予め設定した基準電圧とを比較し、オーディオ信号の電圧と基準電圧とが一致した場合にのみ出力部に主電源を供給可能としており、これにより、ＬＥＤ等の発光手段を点滅可能にするとともに、オーディオ信号の種類に応じてＬＥＤ等の発光パターンを可変可能としている。
【００１８】
ここで、コンパレーターにタイマーを接続し、このタイマーによってコンパレーターのオン、オフを切り替えるとよく、これにより、更に発光パターンのバリエーションを増やすことが可能である。
【００１９】
更にまた、入力部にスピーカーを接続するとよく、これにより、発光手段の点滅とともに、その点滅パターンの基準となっているメロディーを流すことが可能となる。
【実施例１】
【００２０】
本発明のイルミネーションの点滅装置の実施例について図面を参照して説明すると、図１は、本実施例におけるイルミネーションの点滅装置の構成を示すブロック図であり、図において１が本実施例のイルミネーションの点滅装置の部分である。
【００２１】
そして、本実施例のイルミネーションの点滅装置では、入力部を備えており、即ち、図において２が入力部であり、この入力部２は、図示しない入力用コネクタを備え、このコネクタを介して、オーディオ装置等からオーディオ信号を入力可能にしている。
【００２２】
次に、図において３ａ〜３ｇ（以下「３」と総称する。）は出力制御部であり、即ち、本実施例のイルミネーションの点滅装置１では、主電源を発光手段に供給するための出力制御部３を備えている。
【００２３】
そして、本実施例においては、この出力制御部３を７個備えており、それぞれの出力制御部３に、主電源８、及び、発光手段としてのＬＥＤ７０１をそれぞれに複数個ずつ備えた互いに別個のイルミネーション７を接続し、これにより、主電源８をＬＥＤ７０１に供給してイルミネーション７を発光可能としている。
【００２４】
ここで、前記出力制御部３について説明すると、本実施例における出力制御部３のそれぞれには、前記イルミネーション７が接続される出力部５を備え、この出力部５には主電源８が接続される。また、本実施例における出力制御部３のそれぞれには、比較手段としてのコンパレーター４が備えられており、このコンパレーター４はそれぞれ、前記出力部５と主電源８との間に介在されるとともに、更に、入力部２に接続されている。
【００２５】
そして、前記コンパレーター３のそれぞれは、予め設定した基準電圧と前記入力部２より入力されるオーディオ信号の電圧とを比較して、前記基準電圧と前記入力部２より入力されるオーディオ信号の電圧とが一致した場合にのみ、主電源８を前記出力部５に供給可能としている。
【００２６】
即ち、オーディオ信号の電圧は音階によって異なっているため、例えば、コンパレーター３ａ〜３ｇの基準電圧を、ド、レ、ミ、ファ、ソ、ラ、シの音の電圧のいずれかと同じ値に設定しておくことにより、入力されたオーディオ信号の音階に応じて、この音階と同一電圧を基準電圧としているコンパレーター４に接続されている出力部５にのみ主電源を出力するとともに、その出力部５に接続されたイルミネーション７におけるＬＥＤ７０１のみを点灯させることができる。
【００２７】
この関係を詳細に説明すると、例えば、出力制御部３ａにおけるコンパレーター４の基準電圧をドの音階のオーディオ信号の電圧と同一にし、出力制御部３ｂにおけるコンパレーター４の基準をレの音階のオーディオ信号の電圧と同一にし、というように、それぞれのコンパレーター４の基準電圧をオーディオ信号の電圧のいずれかと同一にしておく。そうすると、ドの音のオーディオ信号が入力された場合には出力制御部３ａに接続されたイルミネーション７のみが発光し、レの音のオーディオ信号が入力された場合には出力制御部３ｂに接続されたイルミネーション７のみが発光し、というように、入力されたオーディオ信号の音階によって特定のイルミネーション７のみを発光させることができる。そしてこのとき、一般的に同一の音階のみで構成されるメロディーは考えられないため、その結果、各イルミネーション７は点滅することになる。
【００２８】
従って、本実施例のイルミネーションの点滅装置によれば、入力されたオーディオ信号の音階が同一でない限りはオーディオ信号の音階に対応したイルミネーション７のみを発光させて、これによりイルミネーション７の全体を点滅させることができるとともに、同一メロディーのオーディオ信号を入力し続けた場合を除けばイルミネーション７の点滅パターンを変えることができる。
【００２９】
次に、図において６はタイマーである。即ち、本実施例のイルミネーションの点滅装置１では、コンパレーター４のそれぞれにタイマー６を接続しており、このタイマー６によってコンパレーター４の作動のオン、オフを切り替え可能としている。
【００３０】
そのため、入力されたオーディオ信号の電圧とコンパレーター４の基準電圧とが一致した場合でも、コンパレーター４がオフになっているときには出力手段５への電源供給が行われず、これにより、イルミネーション７の点灯時間を調節して、イルミネーション７の点滅パターンのバリエーションを増やすことが可能となる。
【００３１】
次に、図において９はスピーカーである。即ち、本実施例のイルミネーションの点滅装置１では、前記入力部２にスピーカー９を接続しており、入力されたオーディオ信号を音声信号として出力可能にしている。
【００３２】
従って、これにより、スピーカー９より出力されるメロディーに合わせてイルミネーション７を点滅させることができ、更に見る者を飽きさせないイルミネーションにすることが可能となる。
【００３３】
次に、このように構成される本実施例のイルミネーションの点滅装置１の作用について説明すると、それぞれに複数個のＬＥＤ７０１を備えた複数個のイルミネーション７をそれぞれの出力手段５に接続するとともに、主電源８をコンパレーター４に接続し、これによりイルミネーション７に電源を供給可能にした状態において、入力部２にオーディオ装置を接続し、入力部２にオーディオ信号を入力する。そうすると、このオーディオ信号は、スピーカー９と、それぞれのコンパレーター３に出力され、スピーカー９からはメロディーが流れ出る。
【００３４】
一方、それぞれのコンパレーター４においては、入力されたオーディオ信号の電圧と予め設定された基準電圧とが比較される。
【００３５】
そして、入力されたオーディオ信号の電圧と予め設定された基準電圧とが一致しない場合には出力手段５へは主電源が供給されず、イルミネーション７は発光しない。
【００３６】
また、入力されたオーディオ信号の電圧と予め設定された基準電圧とが一致した場合であっても、タイマー６の制御によってコンパレーター４の作動がオフの状態になっているときには、出力手段５へは主電源が供給されずに、この場合もイルミネーション７は発光しない。
【００３７】
その一方、入力されたオーディオ信号の電圧と予め設定された基準電圧とが一致し、かつコンパレーター４がオンの状態の場合には、出力手段５に主電源が供給されるとともに、この主電源がイルミネーション７に供給され、これによりイルミネーション７を発光させることができる。
【００３８】
このように、本実施例のイルミネーションの点滅装置では、入力されたオーディオ信号の電圧とコンパレーターの基準電圧とが一致した場合にのみイルミネーションを発光可能にしている一方、オーディオ信号においては音階によってその電圧が異なっているとともに同一の音階のみで構成されるメロディーは考えられないため、これにより、イルミネーションを点滅させることができ、更に、入力するオーディオ信号のメロディーを変えることによってイルミネーションの点滅パターンを変えることができる。
【００３９】
従って、本実施例のイルミネーションの点滅装置を用いることにより、見る者を飽きさせることのないイルミネーションの点滅を行うことが可能になる。
【００４０】
また、このとき、タイマーを用いてコンパレーターのオン、オフを制御することにより、同じ音階の信号が入力された場合であっても、イルミネーションの点灯時間を変えることができ、あるいは発光手段を点灯させないようにすることができ、イルミネーションの点滅パターンのバリエーションを増やすことも可能である。
【００４１】
更に、スピーカーを備えて入力されたオーディオ信号をメロディーとして出力することにより、更に、見る者を飽きさせることのないイルミネーションの点滅を行うことが可能になる。
【産業上の利用可能性】
【００４２】
本発明では、入力されたオーディオ信号に応じて発光手段を点滅可能にしているため、点滅を必要とする発光手段のすべてに適用可能である。
【図面の簡単な説明】
【００４３】
【図１】本発明のイルミネーションの点滅手段の実施例の構成を示すブロック図である。
【符号の説明】
【００４４】
１    イルミネーションの点滅装置
２    入力部
３    出力制御部
４    比較手段（コンパレーター）
５    出力部
６    タイマー
７    イルミネーション
７０１    発光手段（ＬＥＤ）
８    主電源
９    スピーカー
【図１】
2007207587.tif 000003